(57)【特許請求の範囲】
【請求項１】
ボウル部から延びる排水路にトラップ部を配設した水洗便器であって、トラップ部は自由端とした後端が上下に反転回動自在になり、このトラップ部を外部排水管に連通するケース本体内に収容し、トラップ部から排水するときボウル部に給水する給水管路を設けた水洗便器装置において、給水管路に設けた給水弁を開いてボウル部に給水する洗浄水の一部が流れる分岐管路を給水管路から分岐し、分岐管路に給水されることによりシリンダ内に給水されてピストンロッドが駆動される水圧駆動シリンダを分岐管路に配設し、トラップ部の自由端とした後端を上下に反転するための駆動アームをトラップ部の近傍に設け、水圧駆動シリンダのピストンロッドの駆動で上記駆動アームが駆動されるようにピストンロッドと駆動アームとを伝達ワイヤで連動させ、給水管路から分岐管路を分岐する位置より下流側で且つ水圧駆動シリンダより上流側で分岐管路とボウル部側とを連通させるバイパス管路を設け、大便洗浄時には開き小便洗浄時には閉じる大小切り換え弁をバイパス管路に配設して成ることを特徴とする水洗便器装置。
【請求項２】
押したとき一定の時間だけ開き且つ一定時間経過後に自動的に閉じるフラッシュバルブで給水弁を形成し、水圧駆動シリンダが動作してピストンロッドが所定位置にあるときフラッシュバルブが開になるようにフラッシュバルブが押し続けられるようにして成ることを特徴とする請求項１記載の水洗便器装置。
【請求項３】
トラップ部が上方に反転回動するようにトラップ部を付勢し、水圧駆動シリンダのピストンロッドの往復動のうち往動でトラップ部が下方に反転駆動されるようにすると共に、水圧駆動シリンダのピストンが洗浄水の供給で往動し且つシリンダ内の復帰ばねのばね力でピストンが復動するようにし、ピストンロッドの往動中は伝達ワイヤとピストンロッドが固定され且つ往動を終えると伝達ワイヤとピストンロッドの固定が解除されるリリース機構を設けて成ることを特徴とする請求項１または請求項２に記載の水洗便器装置。
【請求項４】
水圧駆動シリンダ内の洗浄水をボウル部側に排出する排出管路を設け、分岐管路の途中及び排出管路の途中に方向切り換え弁を設けて成ることを特徴とする請求項１または請求項２に記載の水洗便器装置。
【請求項５】
トラップ部を回転駆動するトラップ軸に伝達リンク板を装着し、伝達リンク板に設けたカム溝に駆動アームのカムフォロアを摺動自在に嵌合することにより駆
動アームの回転をカムフォロア、カム溝を介して伝達リンク板に伝達するようにし、カム溝に駆動アームが空転する空転部と伝達リンク板に回転を伝達してトラップ部を駆動するトラップ駆動部とを設けて成ることを特徴とする請求項１乃至請求項４のいずれかに記載の水洗便器装置。
【請求項６】
洗浄操作する操作釦として大便洗浄用操作釦と小便洗浄用操作釦とを設け、洗浄動作は小便洗浄動作を基準とすると共に大便洗浄用操作釦の操作時には小便洗浄用操作釦も一緒に作動するように大便洗浄用操作釦と小便洗浄用操作釦とを連繋させたことを特徴とする請求項１乃至請求項５のいずれかに記載の水洗便器装置。
【請求項７】
トラップ部を回転駆動するトラップ軸に伝達リンク板を装着し、伝達リンク板に設けたカム溝に駆動アームのカムフォロアを摺動自在に嵌合することにより駆動アームの回転をカムフォロア、カム溝を介して伝達リンク板に伝達するようにし、伝達リンク板にてトラップ部を駆動するときにトルク変動を少なくするために伝達リンク板にバランサーまたはばねを付設したことを特徴とする請求項１乃至請求項６のいずれかに記載の水洗便器装置。
【発明の詳細な説明】
【０００１】
【発明の属する技術分野】
本発明は、トラップ部を反転回動させることで排水と封水の切り換えができるようにした水洗便器装置に関するものである。
【０００２】
【従来の技術】
従来からボウル部に延びる排水路にトラップ部を配置した水洗便器において、トラップ部は自由端とした後端が上下に反転自在となり、このトラップ部が外部排水管に連通するケース本体内に収容され、トラップ部の自由端とした後端を上下に反転するための電動のトラップ駆動手段が設けられ、トラップ部から排水するときボウル部に給水する給水管路が設けられ、洗浄スイッチがオンになると給水管路の給水弁がオンになってボウル部への給水を行い、電動のトラップ駆動手段が駆動してトラップ部の自由端となった後端が下方に回動して排水をし、その後、トラップ駆動手段が駆動してトラップ部の自由端となった後端を上方に回動して排水をし、その後、ボウル部内に水を溜め、給水弁がオフになるようにしたものが知られている。
【０００３】
【発明が解決しようとする課題】
ところが、上記従来例ではトラップ駆動手段が電動モータを使用し、電子制御のもとに排水動作を行う電動機構を用いているのであり、トイレ内に電源を必要とするという問題があり、また停電を考慮する必要もある（停電時にはバックアップ電源への繋ぎ換えなどの操作も必要としている。）。また多湿環境に設置する場合は電気部品等に対する防湿構造等の措置を講じる必要がある。
【０００４】
本発明は叙述の点に鑑みてなされたものであって、洗浄水の水圧を利用して駆動でき、電源を必要としないと共に停電も考慮に入れる必要もない水洗便器装置を提供することを課題とする。
【０００５】
【課題を解決するための手段】
上記課題を解決するため本発明の請求項１の水洗便器装置は、ボウル部１から延びる排水路２にトラップ部３を配設した水洗便器４であって、トラップ部３は自由端とした後端が上下に反転回動自在になり、このトラップ部３を外部排水管５に連通するケース本体６内に収容し、トラップ部３から排水するときボウル部１に給水する給水管路７を設けた水洗便器装置において、給水管路７に設けた給水弁８を開いてボウル部１に給水する洗浄水の一部が流れる分岐管路９を給水管路７から分岐し、分岐管路９に給水されることによりシリンダ１０ａ内に給水されてピストンロッド１０ｂが駆動される水圧駆動シリンダ１０
を分岐管路９に配設し、トラップ部３の自由端とした後端を上下に反転するための駆動アーム１１をトラップ部３の近傍に設け、水圧駆動シリンダ１０のピストンロッド１０ｂの駆動で上記駆動アーム１１が駆動されるようにピストンロッド１０ｂと駆動アーム１１とを伝達ワイヤ１２で連動させ、給水管路７から分岐管路９を分岐する位置より下流側で且つ水圧駆動シリンダ１０より上流側で分岐管路９とボウル部１側とを連通させるバイパス管路１３を設け、大便洗浄時には開き小便洗浄時には閉じる大小切り換え弁１４をバイパス管路１３に配設して成ることを特徴とする。ボウル部１を洗浄するために給水弁８を開いて給水管路７からボウル部１に洗浄水を給水するとき、この洗浄水の圧力にて水圧駆動シリンダ１０が駆動され、ピストンロッド１０ｂ、伝達ワイヤ１２、駆動アーム１１を介してトラップ部３が駆動されるものであって、洗浄水の水圧を利用してトラップ部３を駆動できて電源を必要としないと共に停電を考慮に入れる必要がない。また大便洗浄時には大小切り換え弁１４でバイパス管路１３を開いて分岐管路９を流れる洗浄水の一部をバイパス管路１３を介してボウル部１側に流すことができる。これにより水圧駆動シリンダ１０に流入する水量を制限することによってトラップ部３の排出動作までの時間を遅延できると共に排出動作までのボウル部１内に流入する洗浄水を多くでき、大便洗浄時の汚物排出を容易にすることができる。また小便洗浄時には大小切り換え弁１４でバイパス管路１３を閉じ、分岐管路９を流れる洗浄水を水圧駆動シリンダ１０に全て送り、水圧駆動シリンダ１０の駆動を速くでき、少ない洗浄水で洗浄をすることができる。
【０００６】
また本発明の請求項２の水洗便器装置は、請求項１において、押したとき一定の時間だけ開き且つ一定時間経過後に自動的に閉じるフラッシュバルブ８ａで給水弁８を形成し、水圧駆動シリンダ１０が動作してピストンロッド１０ｂが所定位置にあるときフラッシュバルブ８ａが開になるようにフラッシュバルブ８ａが押し続けられるようにして成ることを特徴とする。給水弁８をフラッシバルブ８ａとしたことにより、釦の押圧を解除したとき自動的に給水が停止され、給水弁８の開閉制御が容易にできる。またフラッシュバルブ８ａの釦押し込み量と給水時間は比例するが、水圧駆動シリンダ１０の動作によってフラッシュバルブ８ａを押させることによって、使用者の釦操作によるばらつきなくすことができる。また水圧駆動シリンダ１０の動作中は常にフラッシュバルブ８ａの釦を押し続けることでフラッシュバルブ８ａの誤動作による給水の中断が回避でき、ボウル部１内の水切れにより破封状態をなくすことができる。
【０００７】
また本発明の請求項３の水洗便器装置は、請求項１または請求項２において、トラップ部３が上方に反転回動するようにトラップ部３を付勢し、水圧駆動シリンダ１０のピストンロッド１０ｂの往復動のうち往動でトラップ部３が下方に反転駆動されるようにすると共に、水圧駆動シリンダ１０のピストン１０ｃが洗浄水の供給で往動し且つシリンダ１０ａ内の復帰ばね１６のばね力でピストン１０ｃが復動するようにし、ピストンロッド１０ｂの往動中は伝達ワイヤ１２とピストンロッド１０ｂが固定され且つ往動を終えると伝達ワイヤ１２とピストンロッド１０ｂの固定が解除されるリリース機構を設けて成ることを特徴とする。水圧駆動シリンダ１０から駆動アーム１１への伝達ワイヤ１２による動力伝達において、ピストンロッド１０ｂが往動するときはピストンロッド１０ｂと伝達ワイヤ１２を固定してピストンロッド１０ｂによる伝達ワイヤ１２の移動を押し進め、ピントンロッド１０ｂの往動を終えると、ピストンロッド１０ｂと伝達ワイヤ１２の固定が解除されてトラップ部３の上方に反転回動する復帰力で伝達ワイヤ１２が初期位置に戻り、その後シリンダ１０ａ内の復帰ばね１６のばね力でシリンダ１０ａの洗浄水が抜けてピストンロッド１０ｂが復動して初期位置に戻る。これにより水圧駆動シリンダを駆動する構造を簡単にできると共にトラップ部３の駆動を所定の時間で行うことができる。
【０００８】
また本発明の請求項４の水洗便器装置は、請求項１または請求項２において、水圧駆動シリンダ１０内の洗浄水をボウル部１側に排出する排出管路１７を設け、分岐管路９の途中及び排出管路１７の途中に方向切り換え弁１８を設けて成ることを特徴とする。方向切
り換え弁１８を切り換えることにより、分岐管路９から水圧駆動シリンダ１０内に洗浄水を供給したり、水圧駆動シリンダ１０から洗浄水を抜いたりでき、水圧駆動シリンダ１０の駆動を方向切り換え弁１８の切り換えにて確実にできる。
【０００９】
また本発明の請求項５の水洗便器装置は、請求項１乃至請求項４のいずれかにおいて、トラップ部３を回転駆動するトラップ軸１９に伝達リンク板２０を装着し、伝達リンク板２０に設けたカム溝２１に駆動アーム１１のカムフォロア２４を摺動自在に嵌合することにより駆動アーム１１の回転をカムフォロア２４、カム溝２１を介して伝達リンク板２０に伝達するようにし、カム溝２１に駆動アーム１１が空転する空転部２１ａと伝達リンク板２０に回転を伝達してトラップ部３を駆動するトラップ駆動部２１ｂとを設けて成ることを特徴とする。駆動アーム１１を駆動することでカムフォロア２４、カム溝２１、伝達リンク板２０を介してトラップ部３を駆動することができるが、伝達リンク板２０に設けたカム溝２１の形状によりトラップ部３が簡単に所定の動作をするようにできる。特にカム溝２１に駆動アーム１１が空転する空転部２１ａと伝達リンク板２０に回転を伝達してトラップ部３を駆動するトラップ駆動部２１ｂとを設けてあることにより、駆動アーム１１が連続的に駆動されるものでも所定の時間トラップ部３が駆動されずにボウル部１に洗浄水を溜めてからトラップ部３を駆動して排水し得るようにでき、洗浄が確実にできる。
【００１０】
また本発明の請求項６の水洗便器装置は、請求項１乃至請求項５のいずれかにおいて、洗浄操作する操作釦２２として大便洗浄用操作釦２２ａと小便洗浄用操作釦２２ｂとを設け、洗浄動作は小便洗浄動作を基準とすると共に大便洗浄用操作釦２２ａの操作時には小便洗浄用操作釦２２ｂも一緒に作動するように大便洗浄用操作釦２２ａと小便洗浄用操作釦２２ｂとを連繋させたことを特徴とする。大便洗浄用の機能と小便洗浄用の機能とがあっても共通する操作系は共用できて操作系の簡素化を図ることができる。
【００１１】
また本発明の請求項７の水洗便器装置は、請求項１乃至請求項６のいずれかにおいて、トラップ部３を回転駆動するトラップ軸１９に伝達リンク板２０を装着し、伝達リンク板２０に設けたカム溝２１に駆動アーム１１のカムフォロア２４を摺動自在に嵌合することにより駆動アーム１１の回転をカムフォロア２４、カム溝２１を介して伝達リンク板２０に伝達するようにし、伝達リンク板２０にてトラップ部３を駆動するときにトルク変動を少なくするために伝達リンク板２０にバランサー２３またはばねを付設したことを特徴とする。伝達リンク板２０に設けたバランサー２３またはばねにてトルク変動を小さくできるため、出力の小さな水圧駆動シリンダ１０を用いることができ、コストダウンと省スペースが期待できる。
【００１２】
【発明の実施の形態】
図１乃至図３には水洗便器４を示している。水洗便器４には上方が開口１ａとなったボウル部１が形成してあり、さらに水洗便器４の後部の内部には収納空所２５が設けてあり、この収納空所２５内にケース本体６が内装してある。ケース本体６の一側壁には取り付け穴２６が設けてあり、取り付け穴２６に回動自在且つ上下に反転自在なトラップ部３を挿入して取り付けてあり、トラップ部３の大部分はケース本体６内に配置されると共にトラップ部３の前端部の接続部２７がケース本体６から外部に突出している。このトラップ部３の接続部２７はボウル部１の後端部に形成したボウル排出口２８に嵌め込んで接続してある。
【００１３】
ケース本体６内に配置したトラップ部３は後述する駆動手段でトラップ部３の自由端とした後端が上下方向に反転自在に回動されるようになっている。図の例ではトラップ部３は軟質の材料で形成し、且つ蛇腹状をしており、ケース本体６に回転自在に取り付けた回転体２９はトラップ部３の後端部に連結してあり、また回転体２９がトラップ軸１９にて回転駆動されるようにトラップ軸１９に連結してある。従ってトラップ軸１９を一方向に
回転すると、図４、図５、図６の順にトラップ部３の自由端とした後端が下向きになるように回動し、上記と逆方向に回転するとトラップ部３の自由端とした後端が上向きになるように回動する。
【００１４】
ケース本体６の下部には排出穴３０を設けてあり、排出穴３０には外部排水管５を接続してある。従って、ボウル部１のボウル排出口２８、トラップ部３、ケース本体６、外部排出管５によりボウル部１から延びる排水路２を形成してある。
【００１５】
水洗便器４の後部上面にはボウル部１に給水する給水管路７を配置してあり、この給水管路７の先端部が水洗便器４のボウル部１の上端開口縁部に形成された通水用のリム部３１に連通し、他端部が水道管に接続されている。給水管路７の途中には給水の開閉操作をする給水弁８を配置してある。かかる給水弁８は釦を押したとき一定の時間だけ開き且つ一定時間経過後に自動的に閉じるフラッシュバルブ８ａである。
【００１６】
ボウル部１に給水する給水管路７には図８に示すように水道管側である一次側から順に給水弁８、便器定流量弁３２を配置してある。給水弁８より下流側で給水管路７から分岐管路９を分岐してあり、分岐管路９を水圧駆動シリンダ１０のシリンダ１０ａの一端に接続してあり、分岐管路９の途中にシリンダ定流量弁３３を配置してある。水圧駆動シリンダ１０はシリンダ１０ａ内にピストン１０ｃを摺動自在に内装してあり、ピストン１０ｃと一体のピストンロッド１０ｂをシリンダ１０ａから突出させてある。シリンダ１０ａ内にはピストン１０ｃを戻す方向に付勢する復帰ばね１６を内装してある。また水圧駆動シリンダ１０のピストンロッド１０ｂの往復する位置には給水弁スイッチＳＷ１や切り換え弁スイッチＳＷ２を配置してある。分岐管路９のシリンダ定流量弁３３より下流側で分岐管路９からバイパス管路１３を分岐してあって、バイパス管路１３をボウル部１側に連通させてあり、バイパス管路１３の途中にはバイパス管路１３を開閉する大小切り換え弁１４を配置してある。またシリンダ１０ａ内の洗浄水をボウル部１に排出する排出管路１７もボウル部１側に連通するように設けてあり、排出管路１７の端部と分岐管路９の途中には方向切り換え弁１８を配置してある。本例の方向切り換え弁１８は３ポート２位置切り換え弁１８ａである。また洗浄を操作する操作釦２２は収納空所２５の上面に装着されるが、この操作釦２２には大便洗浄の操作をする大便洗浄用操作釦２２ａと小便洗浄の操作をする小便洗浄用操作釦２２ｂとがある。小便洗浄用操作釦２２ｂには連動部３５を設けてあり、大便洗浄用操作釦２２ａを押圧操作すると、連動部３５を介して小便洗浄用操作釦２２ｂも押されるようになっている。
【００１７】
しかして小便洗浄用操作釦２２ｂを押したとき給水弁８が開かれると共に方向切り換え弁１８がシリンダ１０ａに洗浄水を供給するように切り換わり、給水管路７からボウル部１に洗浄水が供給されると共にシリンダ１０ａに洗浄水が供給される。シリンダ１０ａに供給された洗浄水にて復帰ばね１６のばね力に抗してピストン１０ｃが押されてピストンロッド１０ｂが突出するように往動を始める。ピストンロッド１０ｂがある程度突出すると、ピストンロッド１０ｂにて給水弁スイッチＳＷ１が押圧されてフラッシュバルブ８ａよりなる給水弁８の釦が押し続けられる。ピストンロッド１０ｂが往動してピストンロッド１０ｂが最大量突出したときピストンロッド１０ｂにて切り換え弁スイッチＳＷ２が押圧されて方向切り換え弁１８が切り換えられ、分岐管路９からシリンダ１０ａへの洗浄水の供給が遮断されると共にシリンダ１０ａと排出管路１７が連通させられる。これにより復帰ばね１６のばね力にてピストン１０ｃが押され、ピストンロッド１０ｂが復動すると共にシリンダ１０ａ内の洗浄水が排出管路１７からボウル部１側に排出される。ピストンロッド１０ｂが所定位置まで復動すると給水弁スイッチＳＷ１の押圧が解除され、フラッシバルブ８ａよりなる給水弁８の釦の押圧が解除される。
【００１８】
大便洗浄用操作釦２２ａを押したときは大便洗浄操作用釦２２ａと連動して小便洗浄用
操作釦２２ｂが押される。これにより給水弁８が開かれると共に方向切り換え弁１８がシリンダ１０ａに洗浄水を供給するように切り換わり、また大小切り換え弁１４が切り換わってバイパス管路１３が開かれ、給水管路７からボウル部１に洗浄水が供給されると共にシリンダ１０ａに洗浄水が供給され、さらにバイパス管路１３を介してボウル部１側に洗浄水が供給される。シリンダ１０ａに供給された洗浄水にて復帰ばね１６のばね力に抗してピストン１０ｃが押されてピストンロッド１０ｂが突出するように往動を始める。ピストンロッド１０ｂがある程度突出すると、ピストンロッド１０ｂにて給水弁スイッチＳＷ１が押圧されてフラッシュバルブ８ａよりなる給水弁８の釦が押し続けられ、また大小切り換え弁１４が切り換えられてバイパス管路１３が閉じられる。ピストンロッド１０ｂが往動してピストンロッド１０ｂが最大量突出したときピストンロッド１０ｂにて切り換え弁スイッチＳＷ２が押圧されて方向切り換え弁１８が切り換えられ、分岐管路９からシリンダ１０ａへの洗浄水の供給が遮断されると共にシリンダ１０ａと排出管路１７が連通させられる。これにより復帰ばね１６のばね力にてピストン１０ｃが押され、ピストンロッド１０ｂが復動すると共にシリンダ１０ａ内の洗浄水が排出管路１７からボウル部１に排出される。ピストンロッド１０ｂが所定位置まで復動すると給水弁スイッチＳＷ１の押圧が解除され、フラッシバルブ８ａよりなる給水弁８の釦の押圧が解除される。
【００１９】
図９は他の例を示すものである。これも図８に示すものと基本的に同じであるが、方向切り換え弁１８と水圧駆動シリンダ１０の構造が異なるものである。本例の場合、水圧駆動シリンダ１０はシリンダ１０ａ内に復帰ばね１６を設ける代わりに複胴型のものを用いている。水圧駆動シリンダ１０のシリンダ１０ａの一端に分岐管路９を連結してあり、シリンダ１０ｂの他端に排出管路１７を連結してある。分岐管路９と排出管路１７の途中には方向切り換え弁１８を配置してある。本例の方向切り換え弁１８は４ポート２位置切り換え弁１８ｂである。
【００２０】
しかして小便洗浄用操作釦２２ｂを押したとき給水弁８が開かれると共に方向切り換え弁１８が一方に切り換わり、給水管路７からボウル部１に洗浄水が供給され、シリンダ１０ａの一端に給水弁８側から洗浄水が供給されると共にシリンダ１０ａの他端から排出管路１７を介して洗浄水がボウル部１側に排出される。これによりピストン１０ｃが一方に押されてピストンロッド１０ｂが突出するように往動を始める。ピストンロッド１０ｂがある程度突出すると、ピストンロッド１０ｂにて給水弁スイッチＳＷ１が押圧されてフラッシュバルブ８ａよりなる給水弁８の釦が押し続けられる。ピストンロッド１０ｂが往動してピストンロッド１０ｂが最大量突出したときピストンロッド１０ｂにて切り換え弁スイッチＳＷ２が押圧されて方向切り換え弁１８が他方に切り換えられ、給水弁８からシリンダ１０ａの他端に洗浄水が供給されると共にシリンダ１０ａの一端から洗浄水がボウル部１側に排出され、ピストンロッド１０ｂが復動する。ピストンロッド１０ｂが所定位置まで復動すると給水弁スイッチＳＷ１の押圧が解除され、フラッシバルブ８ａよりなる給水弁８の釦の押圧が解除される。
【００２１】
大便洗浄用操作釦２２ａを押したときは大便洗浄操作用釦２２ａと連動して小便洗浄用操作釦２２ｂが押される。これにより給水弁８が開かれると共に方向切り換え弁１８が一方に切り換わり、給水管路７からボウル部１に洗浄水が供給され、シリンダ１０ａの一端に給水弁８側から洗浄水が供給されると共にシリンダ１０ａの他端から排出管路１７を介して洗浄水がボウル部１側に排出され、さらに大小切り換え弁１４が切り換わってバイパス管路１３を介してボウル部１側に洗浄水が供給される。これによりピストン１０ｃが一方に押されてピストンロッド１０ｂが突出するように往動を始める。ピストンロッド１０ｂがある程度突出すると、ピストンロッド１０ｂにて給水弁スイッチＳＷ１が押圧されてフラッシュバルブ８ａよりなる給水弁８の釦が押し続けられ、また大小切り換え弁１４が切り換えられてバイパス管路１３が閉じられる。ピストンロッド１０ｂが往動してピストンロッド１０ｂが最大量突出したときピストンロッド１０ｂにて切り換え弁スイッチＳＷ
２が押圧されて方向切り換え弁１８が他方に切り換えられ、給水弁８からシリンダ１０ａの他端に洗浄水が供給されると共にシリンダ１０ａの一端から洗浄水がボウル部１側に排出され、ピストンロッド１０ｂが復動する。ピストンロッド１０ｂが所定位置まで復動すると給水弁スイッチＳＷ１の押圧が解除され、フラッシバルブ８ａよりなる給水弁８の釦の押圧が解除される。
【００２２】
また図７に示すようにトラップ部３のトラップ軸１９には伝達リンク板２０を装着してあり、伝達リンク板２０を回転駆動することによりトラップ部３を上下に反転駆動できるようになっている。この伝達リンク板２０には所定の曲線状にカム溝２１を穿設してある。上記トラップ軸１９と平行になるようにプーリ軸３７を設けてあり、このプーリ軸３７に駆動プーリ３８と駆動アーム１１を一体に装着してある。駆動アーム１１の先端にはカムフォロア２４を装着してあり、カムフォロア２４をカム溝２１に摺動自在に嵌合してある。上記伝達リンク板２０のカム溝２１はプーリ軸３７の中心とする円弧状の空転部２１ａと略Ｌ字状のトラップ駆動部２１ｂとで構成されている。駆動プーリ３８には環状の伝達ワイヤ１２を掛け回してあり、またこの環状の伝達ワイヤ１２は水圧駆動シリンダ１０の近傍でもガイドプーリ３８′に掛け回してある。伝達ワイヤ１２の途中は水圧駆動シリンダ１０に沿わせてあり、伝達ワイヤ１２と水圧駆動シリンダ１０のピストンロッド１０ｂとを結合部３９にて結合してあり、ピストンロッド１０ｂにて伝達ワイヤ１２が駆動されて駆動プーリ３８が駆動されるようになっている。
【００２３】
次に大便用洗浄と小便用洗浄とを行う動作を図１０乃至図２０により詳しく説明する。図１０（ａ）、図１１（ａ）、図１２（ａ）、図１３（ａ）、図１４（ａ）、図１５（ａ）、図１６（ａ）、図１７（ａ）、図１８（ａ）、図１９（ａ）、図２０（ａ）はトラップ部３の動作状態を順に示し、図１０（ｂ）、図１１（ｂ）、図１２（ｂ）、図１３（ｂ）、図１４（ｂ）、図１５（ｂ）、図１６（ｂ）、図１７（ｂ）、図１８（ｂ）、図１９（ｂ）、図２０（ｂ）大便洗浄の操作系の動作状態を順に示し、図１０（ｃ）、図１２（ｃ）、図１４（ｃ）、図１５（ｂ）、図１６（ｂ）、図１７（ｂ）、図１８（ｂ）、図１９（ｂ）、図２０（ｂ）は小便洗浄時の操作系の動作状態を順に示す。
【００２４】
初期状態ではトラップ部３は図１０（ａ）の状態であり、大便洗浄をするときは図１０（ｂ）に示すように大便洗浄用操作釦２２ａが押され、小便洗浄をするときは図１０（ｃ）に示すように小便洗浄用操作釦２２ｂが押される。小便洗浄用操作釦２２ｂを押したとき小便洗浄用操作釦２２ｂだけが単独で動作するが、大便洗浄用操作釦２２ｂを押したとき連動部３５で連動して小便洗浄用操作釦２２ｂも一緒に動作するようになっている。大便洗浄用操作釦２２ａを押すと、フラッシュバルブ８ａよりなる給水弁８が開かれ、方向切り換え弁１８が水圧駆動シリンダ１０に洗浄水を供給するように切り換わり、さらに大小切り換え弁１４がバイパス管路１３を開くように切り換わる。小便洗浄用操作釦２２ｂのみを押すと、フラッシュバルブ８ａよりなる給水弁８が開かれ、方向切り換え弁１８が水圧駆動シリンダ１０に洗浄水を供給するように切り換わるが、大小切り換え弁１４でバイパス管路１３を閉じたままである。
【００２５】
給水弁８が開かれることにより給水管路７を介してボウル部１に洗浄水が供給され、方向切り換え弁１８が切り換わることにより分岐管路９を介して水圧駆動シリンダ１０に洗浄水が供給されて水圧駆動シリンダ１０が駆動される。大便洗浄時は大小切り換え弁１４が切り換わってバイパス管路１３が開かれるためにバイパス管路１３からボウル部１に洗浄水が供給される。大便洗浄時は水圧駆動シリンダ１０が図１１（ｂ）、図１２（ｂ）、図１３（ｂ）、図１４（ｂ）のように駆動され、小便洗浄時は図１２（ｃ）のように駆動されるが、大便洗浄時は分岐管路９を流れる洗浄水の一部がバイパス管路１３を介してボウル部１に送られるため、ボウル部１に送られる水量が多いと共に水圧駆動シリンダ１０が駆動される速度が遅くなる。また小便洗浄時は分岐管路９を流れる洗浄水が水圧駆動シ
リンダ１０に供給されるためにボウル部１に送られる水量が少ないと共に水圧駆動シリンダ１０が駆動される速度が速い。上記のように水圧駆動シリンダ１０が駆動されることによりピストンロッド１０ｂが往動を始め、伝達ワイヤ１２、駆動プーリ３８を介して駆動アーム１１が図１１（ａ）、図１２（ａ）、図１３（ａ）、図１４（ａ）のように一方方向に回転駆動するが、カムフォロア２４がカム溝２１の空転部２１ａに対して空転して伝達リンク板２０が駆動されず、トラップ部３が上方を向いたまま静止している。この駆動アーム１１が空転している間にボウル部１に洗浄水が溜められるのであるが、大便洗浄時にはバイパス管路１３からボウル部１に洗浄水が供給されると共に水圧駆動シリンダ１０が駆動される速度が遅いために溜められる洗浄水の量が多く、小便洗浄時にはバイパス管路１３からボウル部１に洗浄水が供給されないと共に水圧駆動シリンダ１０の駆動速度が速いために洗浄水が溜められる量が少ない。
【００２６】
ピストンロッド１０ｂが往動を続けて突出して行き、図１４（ｂ）（ｃ）に示すようにピストンロッド１０ｂの給水弁スイッチＳＷ１が作動し、フラッシュバルブ８ａの給水弁８の釦が押し続けられるようになる。大便洗浄時には図１４（ｂ）のように給水弁スイッチＳＷ１の作動にて大小切り換え弁１４が作動してバイパス管路１３が閉じられる。この状態から図１５（ｂ）、図１６（ｂ）のようにピストンロッド１０ｂが往動を続けると、図１５（ａ）、図１６（ａ）に示すように一方方向に回転を続け、カムフォロア２４がカム溝２１のトラップ駆動部２１ｂに沿って摺動し、伝達リンク板２０が回転させられ、トラップ部３の後端が下方を向くように一挙に反転駆動され、トラップ部３から排水が行われる。
【００２７】
ピストンロッド１０ｂが往動を続けて最大量突出したときピストンロッド１０ｂの先端が切り換え弁スイッチＳＷ２を作動させ、方向切り換え弁１８が水圧駆動シリンダ１０と排出管路１７とが連通するように切り換えられる。これにより水圧駆動シリンダ１０の復帰ばね１６のばね力で復動を始めると共に水圧駆動シリンダ１０の洗浄水が排出管路１７を介してボウル部１側に抜ける。これによりピストンロッド１０ｂが図１７（ｂ）、図１８（ｂ）のように復動を続け、駆動アーム１１が逆に駆動されて伝達リンク板２０が逆に駆動されることによりトラップ部３の後端が図１８（ａ）に示すように反転駆動され、さらにピストンロッド１０ｂが復動を続けると図１９（ｂ）のようにピストンロッド１０が給水弁スイッチＳＷ１から離れ、フラッシバルブ８ａよりなる給水弁８の釦の押圧が解除され、やがて給水弁８が閉じられることで給水が停止され、図２０（ａ）（ｂ）の初期状態に戻る。トラップ部３の後端が上方に反転駆動されてから初期状態に戻るまでの間にボウル部１に所定量の洗浄水が溜められる。
【００２８】
上記のように大便洗浄や小便洗浄が行われるが、図１０（ａ）、図１１（ａ）、図１２（ａ）、図１３（ａ）、図１４（ａ）、図１５（ａ）、図１６（ａ）、図１７（ａ）、図１８（ａ）、図１９（ａ）、図２０（ａ）の順に図１０（ａ）の状態から図１８（ａ）の状態まで動作する時間が例えば大便洗浄時は約１５秒であり、小便洗浄時は約１０秒である。また図１９（ａ）の状態から図２０（ａ）の初期状態にも戻るまで時間は例えば約５秒である。
【００２９】
上記のように大便洗浄や小便洗浄が行われるが、上記の動作をタイムチャートを示すと図２１の通りである。図２２（ａ）乃至（ｋ）は図２１の符号（ａ）乃至（ｋ）の位置における駆動アーム１１と伝達リンク板との位置関係を示す。
【００３０】
また図２３や図２４は他の例を示す。図２３に示すようにボウル部１に給水する給水管路７には水道管側である一次側から順にフラッシュバルブ８ａよりなる給水弁８、便器定流量弁３２を配置してある。給水弁８より下流側で給水管路７から分岐管路９を分岐してあり、分岐管路９を水圧駆動シリンダ１０のシリンダ１０ａの一端に接続してあり、分岐
管路９の途中にシリンダ定流量弁３３を配置してある。水圧駆動シリンダ１０はシリンダ１０ａ内にピストン１０ｃを摺動自在に内装してあり、ピストン１０ｃと一体のピストンロッド１０ｂをシリンダ１０ａから突出させてある。シリンダ１０ａ内にはピストン１０ｃを戻す方向に付勢する復帰ばね１６を内装してある。また水圧駆動シリンダ１０のピストンロッド１０ｂの往復する位置には切り換え弁スイッチＳＷ３を配置してある。分岐管路９のシリンダ定流量弁３３より下流側で分岐管路９からバイパス管路１３を分岐してあって、バイパス管路１３をボウル部１側に連通させてあり、バイパス管路１３の途中にはバイパス管路１３を開閉する大小切り換え弁１４を配置してある。また洗浄を操作する操作釦２２は収納空所２５の上面に装着されるが、この操作釦２２には大便洗浄の操作をする大便洗浄用操作釦２２ａと小便洗浄の操作をする小便洗浄用操作釦２２ｂとがある。小便洗浄用操作釦２２ｂには連動部３５を設けてあり、大便洗浄用操作釦２２ａを押圧操作すると、連動部３５を介して小便洗浄用操作釦２２ｂも押されるようになっている。本例の場合、フラッシュバルブ８ａよりなる給水弁８は釦を押すと、約２０秒程度開いて給水を続けてその後に閉じる構造となっている。また駆動リンク１１は反時計方向に回転するようにねじりばね等のばねで付勢してあり、トラップ部３が上方に反転回動するように付勢してある。
【００３１】
水圧駆動シリンダ１０のピストンロッド１０ｂには伝達ワイヤ１２を移動自在に挿通してあり、伝達ワイヤ１２が次のようなリリース機構にてピストンロッド１０ｂに固定されたり、ピスロンロッド１０ｂに対する固定が解除されたりするようになっている。伝達ワイヤ１２の途中にはワイヤベース４１を取り付けてあり、ピストンロッド１０ｂの先端部には上記ワイヤベース４１を収納し得る収納凹所４２を設けてある。収納凹所４２の開口側の近傍には上記ワイヤベース４１に係止し得る係止爪４３を回転自在に装着してあり、係止爪４３が係止状態になるようにばねにて付勢してある。またピストンロッド１０ｂが最大量突出した状態で係止爪４３に当たって係止爪４３の係止状態を解除する解除部４５がピストンロッド１０ｂの近傍に配置してある。
【００３２】
しかして水圧駆動シリンダ１０のピストンロッド１０ｂの往動を開始するときは図２４（ａ）に示すようにワイヤベース４１が収納凹所４２から突出すると共に係止爪４３が係止状態になっており、ピストンロッド１０ｂが往動をすると、ワイヤベース４１に係止爪４３が係止した状態で伝達ワイヤ１２とピストンロッド１０ｂが固定され、ピストンロッド１０ｂと一緒に伝達ワイヤ１２が往動して駆動アーム１１が時計方向に駆動される。ピストンロッド１０ｂが最大量突出する位置に近づくと、図２４（ｂ）に示すように係止爪４３が解除部４５に当たり、図２４（ｃ）に示すように係止爪４３が係止解除状態になる。すると、駆動アーム１１に設けたばねにて駆動アーム１１が反時計方向に回転すると共に伝達ワイヤ１２が復動して図２４（ｄ）に示すように収納凹所４２内にワイヤベース４１が納まる。次いでこれに遅延して水圧駆動シリンダ１０内の復帰ばね１６のばね力にてシリンダ１０ａ内から洗浄水が抜けると、ピストンロッド１０ｂが図２４（ｅ）（ｆ）のように復動して初期状態に戻る。
【００３３】
次に上記図２３、図２４の例の大便洗浄と小便洗浄とを行う動作を図２５乃至図３３により詳しく説明する。図２５（ａ）、図２６（ａ）、図２７（ａ）、図２８（ａ）、図２９（ａ）、図３０（ａ）、図３１（ａ）、図３２（ａ）、図３３（ａ）はトラップ部３の動作状態を順に示し、図２５（ｂ）、図２６（ｂ）、図２７（ｂ）、図２８（ｂ）、図２９（ｂ）、図３０（ｂ）、図３１（ｂ）、図３２（ｂ）、図３３（ｂ）は大便洗浄の操作系の動作状態を順に示し、図２５（ｃ）、図２６（ｃ）、図２７（ｃ）図２８（ｂ）、図２９（ｂ）、図３０（ｂ）、図３１（ｂ）、図３２（ｂ）、図３３（ｂ）は小便洗浄時の操作系の動作状態を順に示す。
【００３４】
初期状態ではトラップ部３は図２５（ａ）の状態であり、大便洗浄をするときは図２５
（ｂ）に示すように大便洗浄用操作釦２２ａが押され、小便洗浄をするときは図２５（ｃ）に示すように小便洗浄用操作釦２２ｂが押される。小便洗浄用操作釦２２ｂを押したとき小便洗浄用操作釦２２ｂだけが単独で動作するが、大便洗浄用操作釦２２ｂを押したとき連動部３５で連動して小便洗浄用操作釦２２ｂも一緒に動作するようになっている。大便洗浄用操作釦２２ａを押すと、フラッシュバルブ８ａよりなる給水弁８が開かれ、大小切り換え弁１４がバイパス管路１３を開くように切り換わる。小便洗浄用操作釦２２ｂのみを押すと、フラッシュバルブ８ａよりなる給水弁８が開かれるが、大小切り換え弁１４でバイパス管路１３を閉じたままである。
【００３５】
給水弁８が開かれることにより給水管路７を介してボウル部１に洗浄水が供給され、また分岐管路９を介して水圧駆動シリンダ１０に洗浄水が供給されて水圧駆動シリンダ１０が駆動される。大便洗浄時は大小切り換え弁１４が切り換わってバイパス管路１３が開かれるためにバイパス管路１３からボウル部１に洗浄水が供給される。大便洗浄時は水圧駆動シリンダ１０が図２６（ｂ）、図２７（ｂ）のように駆動され、小便洗浄時は図２６（ｃ）、図２７（ｃ）のように駆動されるが、大便洗浄時は分岐管路９を流れる洗浄水の一部がバイパス管路１３を介してボウル部１に送られるため、ボウル部１に送られる水量が多いと共に水圧駆動シリンダ１０が駆動される速度が遅くなる。また小便洗浄時は分岐管路９を流れる洗浄水が水圧駆動シリンダ１０に供給されるためにボウル部１に送られる水量が少ないと共に水圧駆動シリンダ１０が駆動される速度が速い。上記のように水圧駆動シリンダ１０が駆動されることによりピストンロッド１０ｂが往動を始めるが、このとき図２４（ａ）のように係止爪４３がワイヤベース４１に係止した状態となっており、ピストンロッド１０ｂと一緒に伝達ワイヤ１２が往動するようになっている。このように伝達ワイヤ１２が往動することにより、駆動プーリ３８を介して駆動アーム１１が図２６（ｂ）、図２７（ｂ）のように一方方向に回転駆動するが、カムフォロア２４がカム溝２１の空転部２１ａに対して空転して伝達リンク板２０が駆動されず、トラップ部３が上方を向いたまま静止している。この駆動アーム１１が空転している間にボウル部１に洗浄水が溜められるのであるが、大便洗浄時にはバイパス管路１３からボウル部１に洗浄水が供給されると共に水圧駆動シリンダ１０が駆動される速度が遅いために溜められる洗浄水の量が多く、小便洗浄時にはバイパス管路１３からボウル部１に洗浄水が供給されないと共に水圧駆動シリンダ１０の駆動速度が速いために洗浄水が溜められる量が少ない。
【００３６】
ピストンロッド１０ｂが往動する途中にピストンロッド１０ｂが切り換え弁スイッチＳＷ３に当たって切り換え弁スイッチＳＷ３が作動し、切り換え弁スイッチＳＷ３の作動にて大小切り換え弁１４が作動してバイパス管路１３が閉じられる。この状態から図２８（ｂ）、図２９（ｂ）のようにピストンロッド１０ｂが往動を続けると、図２８（ａ）、図２９（ａ）に示すように駆動アーム１１が時計方向に回転を続け、カムフォロア２４がカム溝２１のトラップ駆動部２１ｂに沿って摺動し、伝達リンク板２０が回転させられ、トラップ部３の後端が下方を向くように一挙に反転駆動され、トラップ部３から排水が行われる。
【００３７】
ピストンロッド１０ｂが往動を続けて最大量突出したとき、図２４（ｃ）のように解除部４５にて係止爪４３の係止が解除され、駆動アーム１１が駆動アーム１１を反時計方向に付勢するばねにて反時計方向に回動させられると共にワイヤベース４１が収納凹所４２に入るように摺動してピストンロッド１０ｂに関係なく、伝達ワイヤ１２が復動する。このようにしてピストンロッド１０ｂに関係なく駆動アーム１１が反時計方向に回転することにより図３０（ａ）、図３１（ａ）、図３２（ａ）、図３３（ａ）に示すようにトラップ部３の後端が上に反転駆動され、やがて給水弁８が閉じられることで給水が停止され、図３３（ａ）（ｂ）の初期状態に戻る。トラップ部３の後端が上方に反転駆動されてから給水弁８が閉じられるまでの間にボウル部１に所定量の洗浄水が溜められる。伝達ワイヤ１２が復動しても図３２（ｂ）のようにピストンロッド１０ｂが復動していなが、給水弁
８が閉じられた後、水圧駆動シリンダ１０内の復帰ばね１６のばね力でピストン１０ｃが押され、分岐管路９を介して給水管路７に至るように洗浄水がシリンダ１０ａから抜けて図３３（ｂ）の状態となる。
【００３８】
上記の図２３や図２４の例の場合、図８の例のような方向切り換え弁１８、切り換え弁スイッチＳＷ２が不要になり、また方向切り換え弁１８を動作させるための操作伝達系も排出管路１７も不要になり、構造が簡単になる。
【００３９】
次に図３４に示す例について説明する。トラップ部３は蛇腹状になっているが、トラップ部３が略水平になるように復元する力が働くためにトラップ軸１９にかかる軸トルクがトラップ部３の角度により変動する。この軸トルクの変動を少なくするために伝達リンク板２０に錘よりなるバランサー２３またはばねを付設して伝達リンク板２０を付勢してある。伝達リンク板２０にバランサー２３を設けない場合のトラップ部３からトラップ軸１９にかかる軸トルクとトラップ部３の角度は図３５（図３５で縦軸はトルク、横軸はトラップ部の角度である）の線Ａ，Ａ′の関係となる。Ａは往動で、Ａ′は復動である。一方バランサー２３からトラップ軸１９にかかる軸トルクとトラップ部３の角度は図３５の線Ｂの関係となる。このため伝達リンク板２０にバランサー２３を設けると、トラップ部３からトラップ軸１９にかかる軸トルクとトラップ部３の角度は図３５の線Ｃ，Ｃ′の関係となり、軸トルクの変動が少なくなる。Ｃは往動で、Ｃ′は復動である。これによりトラップ軸１９にかかる軸トルクの変動が少なくなり、出力の小さな水圧駆動シリンダ１０を用いることができ、コストダウンが図れると共に省スペースが期待できる。
【００４０】
【発明の効果】
本発明の請求項１の発明はボウル部から延びる排水路にトラップ部を配設した水洗便器であって、トラップ部は自由端とした後端が上下に反転回動自在になり、このトラップ部を外部排水管に連通するケース本体内に収容し、トラップ部から排水するときボウル部に給水する給水管路を設けた水洗便器装置において、給水管路に設けた給水弁を開いてボウル部に給水する洗浄水の一部が流れる分岐管路を給水管路から分岐し、分岐管路に給水されることによりシリンダ内に給水されてピストンロッドが駆動される水圧駆動シリンダを分岐管路に配設し、トラップ部の自由端とした後端を上下に反転するための駆動アームをトラップ部の近傍に設け、水圧駆動シリンダのピストンロッドの駆動で上記駆動アームが駆動されるようにピストンロッドと駆動アームとを伝達ワイヤで連動させているので、ボウル部を洗浄するために給水弁を開いて給水管路からボウル部に洗浄水を給水するとき、この洗浄水の圧力にて水圧駆動シリンダが駆動され、ピストンロッド、伝達ワイヤ、駆動アームを介してトラップ部が駆動されるものであって、洗浄水の水圧を利用してトラップ部を駆動できて電源を必要としないと共に停電を考慮に入れる必要がないものであり、また給水管路から分岐管路を分岐する位置より下流側で且つ水圧駆動シリンダより上流側で分岐管路とボウル部側とを連通させるバイパス管路を設け、大便洗浄時には開き小便洗浄時には閉じる大小切り換え弁をバイパス管路に配設しているので、大便洗浄時には大小切り換え弁でバイパス管路を開いて分岐管路を流れる洗浄水の一部をバイパス管路を介してボウル部側に流すことができるものであって、これにより水圧駆動シリンダに流入する水量を制限することによってトラップ部の排出動作までの時間を遅延できると共に排出動作までにボウル部内に流入する洗浄水を多くでき、大便洗浄時の汚物排出を容易にすることができるものであり、また小便洗浄時には大小切り換え弁でバイパス管路を閉じ、分岐管路を流れる洗浄水を水圧駆動シリンダに全て送り、水圧駆動シリンダの駆動を速くでき、少ない洗浄水で洗浄をすることができるものである。
【００４１】
また本発明の請求項２の発明は、請求項１において、押したとき一定の時間だけ開き且つ一定時間経過後に自動的に閉じるフラッシュバルブで給水弁を形成し、水圧駆動シリンダが動作してピストンロッドが所定位置にあるときフラッシュバルブが開になるようにフ
ラッシュバルブが押し続けられるようにしているので、給水弁をフラッシバルブとしたことで釦の押圧を解除したとき自動的に給水が停止され、給水弁の開閉制御が容易にできるのは勿論、フラッシュバルブの釦押し込み量と給水時間は比例するが、水圧駆動シリンダの動作によってフラッシュバルブを押させることによって、使用者の釦操作によるばらつきなくすことができるものであり、また水圧駆動シリンダの動作中は常にフラッシュバルブの釦を押し続けることでフラッシュバルブの誤動作による給水の中断が回避でき、ボウル部内の水切れによる破封状態をなくすことができるものである。
【００４２】
また本発明の請求項３の発明は、請求項１または請求項２において、トラップ部が上方に反転回動するようにトラップ部を付勢し、水圧駆動シリンダのピストンロッドの往復動のうち往動でトラップ部が下方に反転駆動されるようにすると共に、水圧駆動シリンダのピストンが洗浄水の供給で往動し且つシリンダ内の復帰ばねのばね力でピストンが復動するようにし、ピストンロッドの往動中は伝達ワイヤとピストンロッドが固定され且つ往動を終えると伝達ワイヤとピストンロッドの固定が解除されるリリース機構を設けているので、水圧駆動シリンダから駆動アームへの伝達ワイヤによる動力伝達において、ピストンロッドが往動するときはピストンロッドと伝達ワイヤを固定してピストンロッドによる伝達ワイヤの移動を押し進め、ピントンロッドの往動を終えると、ピストンロッドと伝達ワイヤの固定が解除されてトラップ部の上方に反転回動する復帰力で伝達ワイヤが初期位置に戻り、その後シリンダ内の復帰ばねのばね力でシリンダの洗浄水が抜けてピストンロッドが復動して初期位置に戻るものであって、水圧駆動シリンダを駆動する構造を簡単にできると共にトラップ部の駆動を所定の時間で行うことができるものである。
【００４３】
また本発明の請求項４の発明は、請求項１または請求項２において、水圧駆動シリンダ内の洗浄水をボウル部側に排出する排出管路を設け、分岐管路の途中及び排出管路の途中に方向切り換え弁を設けているので、方向切り換え弁を切り換えることにより、分岐管路から水圧駆動シリンダ内に洗浄水を供給したり、水圧駆動シリンダから洗浄水を抜いたりでき、水圧駆動シリンダの駆動を方向切り換え弁の切り換えにて確実にできるものである。
【００４４】
また本発明の請求項５の発明は、請求項１乃至請求項４のいずれかにおいて、トラップ部を回転駆動するトラップ軸に伝達リンク板を装着し、伝達リンク板に設けたカム溝に駆動アームのカムフォロアを摺動自在に嵌合することにより駆動アームの回転をカムフォロア、カム溝を介して伝達リンク板に伝達するようにしているので、駆動アームを駆動することでカムフォロア、カム溝、伝達リンク板を介してトラップ部を駆動することができるが、伝達リンク板に設けたカム溝の形状によりトラップ部が簡単に所定の動作をするようにできるものであり、しかもカム溝に駆動アームが空転する空転部と伝達リンク板に回転を伝達してトラップ部を駆動するトラップ駆動部とを設けているので、駆動アームが連続的に駆動されるものでも所定の時間トラップ部が駆動されずにボウル部に洗浄水を溜めてからトラップ部を駆動して排水し得るようにでき、洗浄が確実にできるものである。
【００４５】
また本発明の請求項６の発明は、請求項１乃至請求項５のいずれかにおいて、洗浄操作する操作釦として大便洗浄用操作釦と小便洗浄用操作釦とを設け、洗浄動作は小便洗浄動作を基準とすると共に大便洗浄用操作釦の操作時には小便洗浄用操作釦も一緒に作動するように大便洗浄用操作釦と小便洗浄用操作釦とを連繋させたので、大便洗浄用の機能と小便洗浄用の機能とがあっても共通する操作系は共用できて操作系の簡素化を図ることができるものである。
【００４６】
また本発明の請求項７の発明は、請求項１乃至請求項６のいずれかにおいて、トラップ部を回転駆動するトラップ軸に伝達リンク板を装着し、伝達リンク板に設けたカム溝に駆動アームのカムフォロアを摺動自在に嵌合することにより駆動アームの回転をカムフォロ
ア、カム溝を介して伝達リンク板に伝達するようにし、伝達リンク板にてトラップ部を駆動するときにトルク変動を少なくするために伝達リンク板にバランサーまたはばねを付設したので、伝達リンク板に設けたバランサーまたはばねにてトルク変動を小さくできるものであって、出力の小さな水圧駆動シリンダを用いることができ、コストダウンと省スペースが期待できるものである。
【図面の簡単な説明】
【図１】本発明の実施の形態の一例の正面から見た断面図である。
【図２】同上の平面図である。
【図３】同上の側面から見た断面図である。
【図４】同上のトラップ部の動作を説明する正面から見た断面図である。
【図５】同上のトラップ部の動作を説明する正面から見た断面図である。
【図６】同上のトラップ部の動作を説明する正面から見た断面図である。
【図７】同上の駆動機構を説明するための正面から見た断面図である。
【図８】同上の駆動系を示す系統図である。
【図９】同上の駆動系の他の例を示す系統図である。
【図１０】同上の洗浄の動作を説明する説明図であり、（ａ）はトラップ部や駆動アームや伝達リンク板の動作を示し、（ｂ）は大便洗浄時の駆動系の動作を示し、（ｃ）は小便洗浄時の駆動系の動作を示す。
【図１１】同上の洗浄の動作を説明する説明図であり、（ａ）はトラップ部や駆動アームや伝達リンク板の動作を示し、（ｂ）は大便洗浄時の駆動系の動作を示す。
【図１２】同上の洗浄の動作を説明する説明図であり、（ａ）はトラップ部や駆動アームや伝達リンク板の動作を示し、（ｂ）は大便洗浄時の駆動系の動作を示し、（ｃ）は小便洗浄時の駆動系の動作を示す。
【図１３】同上の洗浄の動作を説明する説明図であり、（ａ）はトラップ部や駆動アームや伝達リンク板の動作を示し、（ｂ）は大便洗浄時の駆動系の動作を示す。
【図１４】同上の洗浄の動作を説明する説明図であり、（ａ）はトラップ部や駆動アームや伝達リンク板の動作を示し、（ｂ）は大便洗浄時の駆動系の動作を示し、（ｃ）は小便洗浄時の駆動系の動作を示す。
【図１５】同上の洗浄の動作を説明する説明図であり、（ａ）はトラップ部や駆動アームや伝達リンク板の動作を示し、（ｂ）は大便洗浄時及び小便洗浄時の駆動系の動作を示す。
【図１６】同上の洗浄の動作を説明する説明図であり、（ａ）はトラップ部や駆動アームや伝達リンク板の動作を示し、（ｂ）は大便洗浄時及び小便洗浄時の駆動系の動作を示す。
【図１７】同上の洗浄の動作を説明する説明図であり、（ａ）はトラップ部や駆動アームや伝達リ
ンク板の動作を示し、（ｂ）は大便洗浄時及び小便洗浄時の駆動系の動作を示す。
【図１８】同上の洗浄の動作を説明する説明図であり、（ａ）はトラップ部や駆動アームや伝達リンク板の動作を示し、（ｂ）は大便洗浄時及び小便洗浄時の駆動系の動作を示す。
【図１９】同上の洗浄の動作を説明する説明図であり、（ａ）はトラップ部や駆動アームや伝達リンク板の動作を示し、（ｂ）は大便洗浄時及び小便洗浄時の駆動系の動作を示す。
【図２０】同上の洗浄の動作を説明する説明図であり、（ａ）はトラップ部や駆動アームや伝達リンク板の動作を示し、（ｂ）は大便洗浄時及び小便洗浄時の駆動系の動作を示す。
【図２１】同上の動作を説明するタイムチャートである。
【図２２】（ａ）乃至（ｋ）は図２１の（ａ）乃至（ｋ）の位置における駆動アームと伝達リンク板の関係を示す説明図である。
【図２３】同上の駆動系の他の例を示す系統図である。
【図２４】（ａ）乃至（ｆ）は同上の駆動系のリリース機構の部分の動作を説明する一部切欠正面図である。
【図２５】同上の洗浄動作を説明する説明図であり、（ａ）はトラップ部や駆動アームや伝達リンク板の動作を示し、（ｂ）は大便洗浄時の駆動系の動作を示し、（ｃ）は小便洗浄時の駆動系の動作を示す。
【図２６】同上の洗浄動作を説明する説明図であり、（ａ）はトラップ部や駆動アームや伝達リンク板の動作を示し、（ｂ）は大便洗浄時の駆動系の動作を示し、（ｃ）は小便洗浄時の駆動系の動作を示す。
【図２７】同上の洗浄動作を説明する説明図であり、（ａ）はトラップ部や駆動アームや伝達リンク板の動作を示し、（ｂ）は大便洗浄時の駆動系の動作を示し、（ｃ）は小便洗浄時の駆動系の動作を示す。
【図２８】同上の洗浄動作を説明する説明図であり、（ａ）はトラップ部や駆動アームや伝達リンク板の動作を示し、（ｂ）は大便洗浄時及び小便洗浄時の駆動系の動作を示す。
【図２９】同上の洗浄動作を説明する説明図であり、（ａ）はトラップ部や駆動アームや伝達リンク板の動作を示し、（ｂ）は大便洗浄時及び小便洗浄時の駆動系の動作を示す。
【図３０】同上の洗浄動作を説明する説明図であり、（ａ）はトラップ部や駆動アームや伝達リンク板の動作を示し、（ｂ）は大便洗浄時及び小便洗浄時の駆動系の動作を示す。
【図３１】同上の洗浄動作を説明する説明図であり、（ａ）はトラップ部や駆動アームや伝達リンク板の動作を示し、（ｂ）は大便洗浄時及び小便洗浄時の駆動系の動作を示す。
【図３２】同上の洗浄動作を説明する説明図であり、（ａ）はトラップ部や駆動アームや伝達リンク板の動作を示し、（ｂ）は大便洗浄時及び小便洗浄時の駆動系の動作を示す。
【図３３】同上の洗浄動作を説明する説明図であり、（ａ）はトラップ部や駆動アームや伝達リンク板の動作を示し、（ｂ）は大便洗浄時及び小便洗浄時の駆動系の動作を示す。
【図３４】同上の他の例のトラップ部を駆動する機構を示し、（ａ）は正面図、（ｂ）は断面図である。
【図３５】同上のトラップ部の角度と軸トルクの関係を示すグラフである。
【符号の説明】
１  ボウル部
２  排水路
３  トラップ部
４  水洗便器
５  外部排水管
６  ケース本体
７  給水管路
８  給水弁
８ａ  フラッシュバルブ
９  分岐管路
１０  水圧駆動シリンダ
１０ａ  シリンダ
１０ｂ  ピストンロッド
１０ｃ  ピストン
１１  駆動アーム
１２  伝達ワイヤ
１３  バイパス管路
１４  大小切り換え弁
１６  復帰ばね
１７  排出管路
１８  方向切り換え弁
１９  トラップ軸
２０  伝達リンク板
２１  カム溝
２２  操作釦
２２ａ  大便洗浄用操作釦
２２ｂ  小便洗浄用操作釦
２３  バランサー
２４  カムフォロア
【図１】
0003614084.tif 000002
【図２】
0003614084.tif 000003
【図３】
0003614084.tif 000004
【図４】
0003614084.tif 000005
【図５】
0003614084.tif 000006
【図６】
0003614084.tif 000007
【図７】
0003614084.tif 000008
【図８】
0003614084.tif 000009
【図９】
0003614084.tif 000010
【図１０】
0003614084.tif 000011
【図１１】
0003614084.tif 000012
【図１２】
0003614084.tif 000013
【図１３】
0003614084.tif 000014
【図１４】
0003614084.tif 000015
【図１５】
0003614084.tif 000016
【図１６】
0003614084.tif 000017
【図１７】
0003614084.tif 000018
【図１８】
0003614084.tif 000019
【図１９】
0003614084.tif 000020
【図２０】
0003614084.tif 000021
【図２１】
0003614084.tif 000022
【図２２】
0003614084.tif 000023
【図２３】
0003614084.tif 000024
【図２４】
0003614084.tif 000025
【図２５】
0003614084.tif 000026
【図２６】
0003614084.tif 000027
【図２７】
0003614084.tif 000028
【図２８】
0003614084.tif 000029
【図２９】
0003614084.tif 000030
【図３０】
0003614084.tif 000031
【図３１】
0003614084.tif 000032
【図３２】
0003614084.tif 000033
【図３３】
0003614084.tif 000034
【図３４】
0003614084.tif 000035
【図３５】
0003614084.tif 000036